(57)【要約】【課題】プラズマディスプレイパネルを提供する。【解決手段】上側基板と、上側基板の下面に形成されている上側誘電体層と、上側誘電層内に配置された維持電極と、上側基板と対向するように配置される下側基板と、下側基板の上面に形成されている下側誘電体層と、下側誘電層内に維持電極と交差するように形成されているアドレス電極と、下側誘電体層上に配置され、維持電極とアドレス電極とが交差する領域に対応するように放電セルを限定するメイン隔壁と、放電セル内に配置された蛍光体層と、メイン隔壁の最外郭に配置され、メイン隔壁から外側に突出されるようにそれぞれ形成され、端部間が互いに連結されたダミー部をそれぞれ備え、ダミー部が連結されている部位が維持電極にそれぞれ備わった端子部とアドレス電極にそれぞれ備わった端子部とのうち少なくとも一方の端子部と重なって配置されたダミー隔壁とを含む。【選択図】図２
2006134862.tif 000002
【特許請求の範囲】
【請求項１】
上側基板と、
前記上側基板の下面に形成された上側誘電体層と、
前記上側誘電層内に配置された維持電極と、
前記上側基板と対向するように配置される下側基板と、
前記下側基板の上面に形成された下側誘電体層と、
前記下側誘電層内に前記維持電極と交差するように形成されたアドレス電極と、
前記下側誘電体層上に配置され、前記維持電極とアドレス電極とが交差する領域に対応するように放電セルを限定するメイン隔壁と、
前記放電セル内に配置された蛍光体層と、
前記メイン隔壁の最外郭に配置され、前記メイン隔壁から外側に突出されるようにそれぞれ形成され、端部間が互いに連結されたダミー部をそれぞれ備え、前記ダミー部が連結された部位が、前記維持電極にそれぞれ備わった端子部と前記アドレス電極にそれぞれ備わった端子部とのうち少なくとも一方の端子部と重なって配置されたダミー隔壁とを備えるプラズマディスプレイパネル。
【請求項２】
前記ダミー部が連結された部位は、前記メイン隔壁に連結されていることを特徴とする請求項１に記載のプラズマディスプレイパネル。
【請求項３】
前記ダミー隔壁とメイン隔壁とは、一体に形成されることを特徴とする請求項２に記載のプラズマディスプレイパネル。
【請求項４】
前記ダミー部は、それぞれ所定曲率に湾曲して形成されていることを特徴とする請求項１に記載のプラズマディスプレイパネル。
【請求項５】
前記メイン隔壁は、前記放電セルをマトリックス状に限定することを特徴とする請求項１に記載のプラズマディスプレイパネル。
【請求項６】
前記放電セルのうち外側に少なくとも一列に配列されている放電セルは、ダミーセルに該当することを特徴とする請求項５に記載のプラズマディスプレイパネル。
【請求項７】
前記ダミー隔壁は、前記上側基板と下側基板とを結合させる密封部材と離隔されるように配置されていることを特徴とする請求項１に記載のプラズマディスプレイパネル。
【請求項８】
前記維持電極は、２個ずつ対をなし、前記放電セルごとに共に配置され、対をなす維持電極のうちいずれか一つは、共通電極として、他の一つは、スキャン電極として作用することを特徴とする請求項１に記載のプラズマディスプレイパネル。
【請求項９】
前記共通電極は、共通透明電極と前記共通透明電極に接続された共通バス電極とをそれぞれ備え、前記スキャン電極は、前記共通透明電極と放電ギャップをなすスキャン透明電極と、前記スキャン透明電極に接続されたスキャンバス電極とをそれぞれ備えてなったことを特徴とする請求項８に記載のプラズマディスプレイパネル。
【請求項１０】
前記共通バス電極に備わった端子部と前記スキャンバス電極に備わった端子部とは、前記ダミー部が連結された部位と重なって配置されていることを特徴とする請求項９に記載のプラズマディスプレイパネル。
【請求項１１】
前記共通バス電極の端子部と前記スキャンバス電極の端子部とは、互いに反対方向に延長されて配置されていることを特徴とする請求項１０に記載のプラズマディスプレイパネル。
【請求項１２】
前記上側誘電体層の下面には、保護膜がさらに備わったことを特徴とする請求項１に記載のプラズマディスプレイパネル。
【発明の詳細な説明】
【技術分野】
【０００１】
本発明は、プラズマディスプレイパネル（ＰＤＰ）に係り、さらに詳細には誘電体層と隔壁との間隙を狭めて騷音を低減させることができるように構造の改善されたＰＤＰに関する。
【背景技術】
【０００２】
近来、陰極線管を代替すると注目されているＰＤＰは、複数の電極が形成されている二基板間に、放電ガスが封入された後で放電電圧が加えられ、それによって発生する紫外線により、所定のパターンに形成されている蛍光体層が励起されて画像が表示される装置である。
【０００３】
かかるＰＤＰは、駆動方法によって、直流型と交流型とに分類される。直流型ＰＤＰでは、電極が放電空間に露出され、相互対応する電極間で電荷の移動が直接的になされ、交流型ＰＤＰでは、少なくとも一側の電極が誘電体層で覆われ、誘電体層にたまった壁電荷の移動により放電がなされる。
【０００４】
前記直流型ＰＤＰでは、対応する電極間に電荷の移動が直接的になされるので、電極の損傷がはなはだしくなるという問題点があったために、最近では、三電極面放電型構造を有する交流型ＰＤＰが採用されているという趨勢がある。
【０００５】
一般的な交流型ＰＤＰには、画像が表示される上側基板と、前記上側基板と平行するように対向すべく配置された下側基板とが備わっている。前記上側基板の下面には、維持電極対が形成されており、前記維持電極対は、上側誘電体層により埋め込まれている。そして、前記下側基板の上面には、維持電極対と交差するようにアドレス電極が形成されており、前記アドレス電極は、下側誘電体層により埋め込まれている。前記下側誘電体層と上側誘電体層との間には、放電セルを限定する隔壁が形成されている。前記放電セルには、放電ガスが充填されており、カラー具現のために、赤色、緑色、青色蛍光体層が選択的に形成されている。
【０００６】
前記のようなＰＤＰにおいて、隔壁は、所定パターンに形成された後で、焼成工程を経るようになるが、その場合、隔壁の端部が中央部に比べて相対的に高くなる。これは、製造工程において、隔壁に含まれていた一部成分が、隔壁の外側に移動するために生じる。このように、隔壁の端部が高くなると、隔壁の中央部と上側誘電体層とが分離する（このような現象は、例えば浮き上がり現象と呼ばれる）。かかる浮き上がり現象は、パネルの駆動時に、振動ノイズを誘発させる。特に、前記のような浮き上がり現象は、誘電体層により電極が覆われることにより、誘電体層の厚さが全体的に均一ではない状態で、電極の端子部が端部が高くなった隔壁を経て基板のエッジに引き出される場合により顕著に生じうる。
【発明の開示】
【発明が解決しようとする課題】
【０００７】
本発明の目的は、ダミー隔壁に備わったダミー部の連結された部位が、電極から引き出された端子部と重なるように配置された構造からなることにより、誘電体層とダミー隔壁との間隔が狭くなり、振動ノイズが低減されうるＰＤＰを提供するところにある。
【課題を解決するための手段】
【０００８】
上記の目的を達成するための本発明によるＰＤＰは、上側基板と、前記上側基板の下面に形成されている上側誘電体層と、前記上側誘電層内に配置された維持電極と、前記上側基板と対向するように配置される下側基板と、前記下側基板の上面に形成されている下側誘電体層と、前記下側誘電層内に前記維持電極と交差するように形成されているアドレス電極と、前記下側誘電体層上に配置され、前記維持電極とアドレス電極とが交差する領域に対応するように放電セルを限定するメイン隔壁と、前記放電セル内に配置された蛍光体層と、前記メイン隔壁の最外郭に配置され、前記メイン隔壁から外側に突出されるようにそれぞれ形成され、端部間が互いに連結されたダミー部をそれぞれ備え、前記ダミー部が連結された部位が、前記維持電極にそれぞれ備わった端子部と前記アドレス電極にそれぞれ備わった端子部とのうち少なくとも一方の端子部と重なって配置されたダミー隔壁とを備える。
【発明の効果】
【０００９】
本発明によれば、ダミー部が連結された部位が、電極から引き出された端子部と重なるように配置されることにより、誘電体層とダミー隔壁との間隔が狭くなる。これにより、浮き上がり現象による振動ノイズが低減されうる。
【発明を実施するための最良の形態】
【００１０】
以下、添付された図面を参照しつつ、本発明の好ましい実施形態を詳細に説明する。
【００１１】
図１には、本発明の一実施形態によるＰＤＰについての平面図が図示されている。
【００１２】
図示されたＰＤＰ １００は、上側パネル１１０と、前記上側パネル１１０に対向して結合された下側パネル１２０とを備える。前記上側パネル１１０と下側パネル１２０とが重なる領域の共通領域Ｃは、表示領域Ｄと非表示領域Ｎとに大別される。ここで、前記表示領域Ｄは、共通領域Ｃの中央側に位置して画像が表示される領域に該当し、前記非表示領域Ｎは、共通領域Ｃのエッジ側に位置して画像が表示されない領域に該当する。前記非表示領域Ｎには、エッジに沿って表示領域を覆い包むようにフリットのような密封部材１３０が形成され、上側パネル１１０と下側パネル１２０とを結合させて密封している。
【００１３】
前記表示領域Ｄと非表示領域Ｎは、図２ないし図４を参照して、さらに詳述する。図２には、図１において、表示領域と非表示領域とを一部抜粋した分離斜視図が図示されており、図３には、図２のIII−III線に沿って切り取った断面図が図示されている。そして、図４には、図２の電極がダミー隔壁に配置されている状態についての平面図が図示されている。
【００１４】
図２ないし図４を参照すれば、画像が透過されうる透明なガラス素材などで上側基板１１１が形成されており、前記上側基板１１１に対向するように下側基板１２１が配置されている。
【００１５】
前記上側基板１１１の下側には、一方向にそれぞれ延びた維持電極対１１２が配置されており、前記下側基板１２１の上側には、前記維持電極対１１２と交差するように延びたアドレス電極１２２が配置されている。前記アドレス電極１２２は、下側基板１２１の上面にストライプ状に配列されており、アドレス電極１２２は、放電セル１２５ごとに配置されている。そして、アドレス電極１２２は、下側基板１２１の上面に形成されている下側誘電体層１２３によって覆われて埋め込まれている。
【００１６】
そして、前記維持電極対１１２は、上側基板１１１の下面に形成されており、一対をなす維持電極のうちいずれか一つは、共通電極１１３に、残りの一つは、スキャン電極１１４に該当する。前記共通電極１１３とスキャン電極１１４は、相互間に放電ギャップＧをなして放電セル１２５ごとに共に配置され、前記スキャン電極１１４は、アドレス電極１２２と共にアドレス放電を起こし、前記共通電極１１３は、スキャン電極１１４と共に維持放電を起こす。
【００１７】
前記共通電極１１３は、図示されているように、共通透明電極１１３ａとこれと接続される共通バス電極１１３ｂとを備え、前記スキャン電極１１４は、スキャン透明電極１１４ａとこれと接続されるスキャンバス電極１１４ｂとを備えうる。
【００１８】
前記共通及びスキャン透明電極１１３ａ，１１４ａは、放電時に発生した可視光を透過させるために、透明な材質であるインジウムと錫の酸化物（ＩＴＯ）から形成される。前記共通及びスキャン透明電極１１３ａ，１１４ａとそれぞれ接続された共通及びスキャンバス電極１１３ｂ，１１４ｂは、共通及びスキャン透明電極１１３ａ，１１４ａに電圧をそれぞれ印加する役割を果たすが、電気伝導度が相対的に低いＩＴＯから形成されている共通及びスキャン透明電極１１３ａ，１１４ａの電気抵抗を改善するために、導電性にすぐれるＣｕ、Ａｇのような金属から形成されることが望ましい。そして、前記共通及びスキャンバス電極１１３ｂ，１１４ｂは、共通及びスキャン透明電極１１３ａ，１１４ａの幅より小幅であり、アドレス電極１２２と交差する方向に延長されるように形成されている。
【００１９】
前記維持電極対１１２は、上側基板１１１の下面に形成されている上側誘電体層１１５により覆われて埋め込まれている。そして、前記上側誘電体層１１５は、ＭｇＯなどにより形成されている保護膜１１６によって覆われ、前記保護膜１１６は、放電時に荷電粒子が上側誘電体層１１５に直接衝突して上側誘電体層１１５を損傷させることを防止し、荷電粒子が前記保護膜１１６に衝突するようになれば、二次電子を放出させて放電効率を高める役割を果たせる。
【００２０】
前記上側基板１１１と下側基板１２１との間、すなわち保護膜１１６と下側誘電体層１２３との間には、メイン隔壁１２４が所定パターンで形成されている。前記メイン隔壁１２４は、複数個の放電セル１２５を限定（形成）し、隣接した放電セル１２５とのクロストークを防止する。前記メイン隔壁１２４により限定された放電セル１２５内には、放電ガスが充填されるが、前記放電ガスとしては、ペニング混合気体が採用されうる。
【００２１】
上記のように放電セル１２５を限定するメイン隔壁１２４は、さまざまな形態に形成されうるが、図示されたような一例によれば、所定間隔に離隔されて形成されているメイン縦隔壁１２４ａと、前記メイン縦隔壁１２４ａの各側面から前記メイン縦隔壁１２４ａと交差する方向に実質的に同じ高さで延びて形成されているメイン横隔壁１２４ｂとを備えて構成されうる。ここで、前記メイン縦隔壁１２４ａは、アドレス電極１２２間に、それらと平行するように配置されており、前記メイン横隔壁１２４ｂは、維持電極対１１２間に、それらと平行するように配置されている。そして、前記メイン横隔壁１２４ｂは、前記メイン縦隔壁１２４ａの両側端部にもそれぞれ配置されることにより、メイン縦隔壁１２４ａの両側端部間を閉鎖している。
【００２２】
上記のようにマトリックス状にメイン縦隔壁１２４ａとメイン横隔壁１２４ｂとが形成されることにより、四面がそれぞれ閉鎖された放電セル１２５が限定されうる。上記の通りに限定された放電セル１２５のうち、外側エッジに沿って少なくとも一列に配列されたものは、パネル １００の安定した画像品質を得るための一方案として、ダミーセル１４０として機能しうる。前記ダミーセル１４０には、維持電極対１１２とアドレス電極１２２のうち、いずれか一つだけ配置されうるが、これによりダミーセル１４０は、放電の実行されない非表示領域Ｎに該当する。
【００２３】
上記のようにメイン隔壁１２４により限定された放電セル１２５には、蛍光体層１２６が配置されている。すなわち、前記メイン隔壁１２４の側面とメイン隔壁１２４とにより限定された下側誘電体層１２３の上面にわたって蛍光体が塗布されることにより、蛍光体層１２６が形成されている。
【００２４】
前記蛍光体は、カラーを具現するために励起されて発散される色相が赤色、緑色及び青色となる赤色、緑色、青色蛍光体に大別され、これにより赤色、緑色、青色蛍光体層をそれぞれなす。そして、前記赤色、緑色、青色蛍光体層がそれぞれ配置される放電セル１２５は、赤色、緑色、青色放電セルをそれぞれなし、３個の隣接した赤色、緑色、青色放電セルは、単位画素を構成する。
【００２５】
一方、前記メイン隔壁１２４の最外郭には、本発明の特徴となるダミー隔壁１４１が配置されている。
【００２６】
前記ダミー隔壁１４１は、図２及び図４に図示されたところによれば、メイン隔壁１２４の最外郭に沿って配列されているので、それぞれのダミー隔壁１４１は、端部間が互いに連結されている多数のダミー部１４２を備えている。前記ダミー部１４２は、それぞれ所定曲率を有し、パネル １００の外側に湾曲して形成されている構造からなると図示されているが、必ずしもそれに限定されず、パネル １００の外側に突出される構造ならば、いかなる形状でも可能である。前記ダミー隔壁１４１が、前述のような構造を有することににより、前記ダミー隔壁１４１が焼成工程を経た後、ダミー部１４２が連結されている部位Ａは、部位Ａ以外の他の部位に比べて相対的に収縮量（即ち、一部成分が流れ込む量）小さくなるので、他の部位よりも高さが小さくなる。言い換えれば、一部成分が部位Ａよりも他の部位に多く流れ込むことによって、部位Ａは他の部位よりも高さが小さくなる。
【００２７】
そして、前記のようなダミー隔壁１４１に備わったダミー部１４２の連結されている部位Ａは、メイン隔壁１２４に連結されうる、それにより、ダミー隔壁１４１とメイン隔壁１２４との間に閉鎖された空間が形成される。このためには、ダミー隔壁１４１とメイン隔壁１２４は、一体に形成されることが望ましい。しかし、ダミー隔壁は、前述した通りに限定されずに、メイン隔壁と所定間隔それぞれ離隔されて配置されることも可能である。
【００２８】
上記の通りにメイン隔壁１２４の最外郭に配置されたダミー隔壁１４１の上下側には、維持電極対１１２にそれぞれ備わった端子部とアドレス電極１２２にそれぞれ備わった端子部とが、それぞれまたがって非表示領域Ｎに引き出されて配置される。上記の通りに非表示領域Ｎに配置された端子部は、駆動部（図示せず）と電気的に接続されもする。
【００２９】
図示されたところによれば、前記維持電極対１１２をなす共通電極１１３にそれぞれ備わった端子部、すなわち共通バス電極１１３ｂにそれぞれ備わった端子部１１３ｂ’が、これに対応するように配置されたダミー隔壁１４１を経て非表示領域Ｎに引き出されている。ここで、ダミー部１４２が連結されている部位Ａは、ダミー隔壁１４１を経て非表示領域Ｎに引き出される共通バス電極１１３ｂの端子部１１３ｂ’と重なるように配置される。
【００３０】
上記の通りに共通バス電極１１３ｂの端子部１１３ｂ’が、相対的に低い部位Ａを経てそれぞれ引き出されることにより、前記ダミー隔壁１４１と上側誘電体層１１５との間隔が狭くなり、振動ノイズが低減されうる。これは、共通バス電極１１３ｂが上側誘電体層１１５により覆われることにより、共通バス電極１１３ｂが配置された部位に対応する上側誘電体層１１５の厚さが、共通バス電極１１３ｂが配置されていない部位に対応する上側誘電体層１１５の厚さに比べて厚くなりうるが、このように上側誘電体層１１５の相対的に厚くなった部位が、隔壁のうち、相対的に低い部位Ａに対応するように配置されることにより、上側誘電体層１１５と、ダミー隔壁１４１との間隔が狭まるためである。
【００３１】
一方、図示されているように、ダミー隔壁１４１を経て共通電極１１３が引き出されている構造は、共通電極１１３と共に維持電極対１１２をなすスキャン電極１１４にも適用可能である。すなわち、前記スキャン電極にそれぞれ備わった端子部は、共通電極の端子部が延びた方向の反対方向に延長され、非表示領域に引き出されるが、このように延びたスキャン電極の端子部に対応するように、前述のようなダミー隔壁が配置されることが可能である。ここで、ダミー部が連結されている部位は、ダミー隔壁を経て非表示領域に引き出だれるスキャン電極の端子部、すなわちスキャンバス電極の端子部と重なるように配置される。このようにスキャンバス電極の端子部が相対的に低い部位を経てそれぞれ引き出されることにより、前記ダミー隔壁と上側誘電体層との間隔が狭くなる。
【００３２】
前記維持電極対１１２がダミー隔壁１４１を経て非表示領域Ｎに引き出されるように、アドレス電極１２２にそれぞれ備わった端子部１２２’も、それに対応するように配置されているダミー隔壁１４１を経て非表示領域Ｎに引き出され、ダミー部１４２が連結されている部位Ａが、ダミー隔壁１４１を経て非表示領域Ｎに引き出されるアドレス電極１２２の端子部１２２’と重なるように配置される。
【００３３】
上記の通りにアドレス電極１２２の端子部１２２’が、隔壁のうち、相対的に低い部位Ａを経てそれぞれ引き出されることにより、前記ダミー隔壁１４１と上側誘電体層１１５との間隔が狭くなり、振動ノイズが低減されうる。これは、アドレス電極１２２が下側誘電体層１２３により覆われることにより、アドレス電極１２２が配置された部位に対応する下側誘電体層１２３の厚さが、アドレス電極１２２が配置されていない部位に対応する下側誘電体層１２３の厚さに比べて大きくなることがあるが、このように下側誘電体層１２３の相対的に厚くなった部位が、隔壁のうち、相対的に低い部位Ａに対応するように配置されることにより、部位Ａが、上側誘電体層１１５側に押されるようになり、ダミー隔壁１４１と上側誘電体層１１５との間隔が狭くなるためである。
【００３４】
一方、前記のような構造を有するダミー隔壁１４１は、上側パネル１１０と下側パネル１２０とを結合させる密封部材１３０と所定間隔ほど離隔されて配置されることが望ましいが、これは、ダミー隔壁１４１と密封部材１３０との間の空間を介して排気が円滑になされうるためである。これにより、パネル１００内に不純物が残存して放電電圧が上昇したり、または誤放電が起こらないようにすることにより、放電効率が低下することが防止されうる。
【００３５】
本発明は、添付された図面に図示された一実施形態を参考に説明されたが、それは、例示的なものに過ぎず、当技術分野で当業者ならば、それから多様な変形及び均等な他実施例が可能であるという点が理解できるであろう。従って、本発明の真の保護範囲は、特許請求の範囲によってのみ決まるものである。
【産業上の利用可能性】
【００３６】
本発明は、誘電体層とダミー隔壁との間隔が狭くなり、振動ノイズが低減されうるＰＤＰに適用が可能であり、例えば平板表示装置関連の技術分野に効果的に適用可能である。
【図面の簡単な説明】
【００３７】
【図１】本発明の一実施形態によるＰＤＰに対する平面図である。
【図２】図１のＰＤＰを一部抜粋して図示した分離斜視図である。
【図３】図２のIII−III線に沿って切り取って図示した断面図である。
【図４】図２の電極がダミー隔壁に対して配置された状態を図示した平面図である。
【符号の説明】
【００３８】
１００    ＰＤＰ
１１０    上側パネル
１１１    上側基板
１１２    維持電極対
１１３    共通電極
１１３ａ    共通透明電極
１１３ｂ    共通バス電極
１１３ｂ’     共通バス電極の端子部
１１４    スキャン電極
１１４ａ    スキャン透明電極
１１４ｂ    スキャンバス電極
１１５    上側維持体層
１１６    保護膜
１２０    下側パネル
１２１    下側基板
１２２    アドレス電極
１２２’    アドレス電極の端子部
１２３    下側維持体層
１２４    メイン隔壁
１２４ａ    メイン縦隔壁
１２４ｂ    メイン横隔壁
１２５    放電セル
１２６    蛍光体層
１３０    密封部材
１４０    ダミーセル
１４１    ダミー隔壁
１４２    ダミー部
Ｃ    共通領域
Ｄ    表示領域
Ｎ    非表示領域
【図１】
2006134862.tif 000003
【図２】
2006134862.tif 000004
【図３】
2006134862.tif 000005
【図４】
2006134862.tif 000006